(57)【要約】【課題】音楽データの取り出しが容易なテキストデータ同期録音装置を提供する。【解決手段】音楽データと該音楽データに対応するテキストデータとが多重化されて放送されてくる放送情報を受信し、放送情報中の音楽データと該音楽データに対応するテキストデータとを同期して録音するテキストデータ同期録音装置であって、録音指示装置９による録音指示を受けた録音制御装置８による制御の下に、同期録音装置７の録音トラックに音楽データを記録し、該録音トラックの所定位置、例えば該録音トラックの終了部分に該音楽データに対応するテキストデータを引き続いて録音するように録音制御して、音楽データと該音楽データに対するテキストデータとを実質的に同期して録音させる。【選択図】        図１
2005071520.tif 000002
【特許請求の範囲】
【請求項１】
音楽データと該音楽データに対応するテキストデータとが多重化されて放送されてくる放送情報を受信し、放送情報中の音楽データと該音楽データに対応するテキストデータとを同期して録音するテキストデータ同期録音装置であって、音楽データの録音に際し、音楽データの録音トラックの所定位置に該音楽データに対応するテキストデータを録音させることを特徴とするテキストデータ同時録音装置。
【発明の詳細な説明】
【技術分野】
【０００１】
本発明は多重放送やデジタル放送受信時に、受信した本来の番組である音楽データと該音楽データに対するテキストデータ（音楽データに対する曲名／アーティスト名等を含む、以下同様）とを同期して録音するテキストデータ同期録音装置に関する。
【背景技術】
【０００２】
従来の放送受信機において、本来の放送番組である音楽データと該音楽データに対するテキストデータとが多重化されて送信されてくる番組情報を受信して復号装置にて復号処理し、復号処理されたデータはデータ記録装置で記録し、記録データを番組データである音楽データと該音楽データに対応するテキストデータとに分離し、分離された音楽データを音楽データ復号化装置によりを復号処理し、音声再生装置で再生すると共に、分離されたテキストデータをテキストデータ表示処理装置にて表示処理してディスプレイ装置に表示するようにすることが知られている（例えば特許文献１参照）。
【０００３】
【特許文献１】特開平１１−１４５９１８号公報（第４頁、第６頁、図１）。
【発明の開示】
【発明が解決しようとする課題】
【０００４】
しかし、上記した従来の場合では、受信した音楽データとテキストデータとの録音については、受信した音楽データとテキストデータとを別々に録音することが行われている。この録音を利用して後から所望の音楽データを再生する場合、使用者により記録装置からテキストデータを取り出し、この取り出したテキストデータを参照、すなわち閲覧、検索などのために使用して、テキストデータを頼りに所望の音楽データを探し出して、探し出した音楽データの再生を行っている。
【０００５】
このために、録音された音楽データ中から所望の音楽データを抽出することは容易でないという問題点があった。
【０００６】
本発明は、音楽データの取り出しが容易なテキストデータ同期録音装置を提供することを目的とする。
【課題を解決するための手段】
【０００７】
本発明にかかるテキストデータ同時録音装置は、音楽データと該音楽データに対応するテキストデータとが多重化されて放送されてくる放送情報を受信し、放送情報中の音楽データと該音楽データに対応するテキストデータとを同期して録音するテキストデータ同期録音装置であって、音楽データの録音に際し、音楽データの録音トラックの所定位置に該音楽データに対応するテキストデータを録音させることを特徴とする。
【発明の効果】
【０００８】
本発明にかかるテキストデータ同期録音装置では、音楽データの録音に際し、該音楽データの録音トラックの所定位置に該音楽データに対応するテキストデータが録音させられるために、音楽データと該音楽データに対するテキストデータとが実質的に同期して録音させられることになる。このために、テキストデータを探索することによって探索したテキストデータに対する音楽データが容易に探索することができて、所望の音楽データの読み出しがきわめて容易になる。
【０００９】
本発明にかかるテキストデータ同期録音装置によれば、音楽データと別々の録音装置に録音されたテキストデータを読み出し、読み出したテキストデータを参照することによって所望の音楽データを探索し、次からの音楽データの探索を容易にするために、探索された音楽データにテキストデータをテキストタグとして新たに付加して、テキストタグと音楽データとを併せて再記録するようなことは不要となる。
【発明を実施するための最良の形態】
【００１０】
以下、本発明にかかるテキストデータ同期録音装置を実施の一形態によって説明する。
【００１１】
図１は本発明の実施の一形態にかかるテキストデータ同期録音装置が適用される放送受信機の構成を示すブロック図である。
【００１２】
本発明の実施の一形態にかかるテキストデータ同期録音装置が適用される放送受信機は、多重化されて送信されてくる番組データを受信して復号装置１にて復号処理し、復号処理されたデータはデータ記録装置２に記録し、記録データから番組データである音楽データと該音楽データに対応するテキストデータとを分離し、分離された音楽データを音楽データ復号化装置３により復号処理し、復号処理された音楽データを音声再生装置４で再生処理すると共に、分離されたテキストデータをテキストデータ表示処理装置５で表示処理してディスプレイ装置６に表示するように構成してある。
【００１３】
本発明の実施の一形態にかかるテキストデータ同期録音装置では、録音指示装置９による録音指示に基づき、音楽データ復号化装置３により復号処理された音楽データと、テキストデータ表示処理装置５によって表示処理されたテキストデータとが同期録音装置７に同期録音される。
【００１４】
同期録音装置７には、ＭＤ、ＣＤＲ，ＨＤＤ等の記録媒体が利用できる。また、同期録音は、録音指示装置９による録音指示を受けた録音制御装置８による制御の下に、同期録音装置７の録音トラックに音楽データを記録し、該録音トラックの所定位置、例えば該録音トラックの終了部分に該音楽データに対応するテキストデータを引き続いて録音するように録音制御して、音楽データと該音楽データに対するテキストデータとを実質的に同期して録音させる。
【００１５】
また、検索指示装置１１によりテキストデータを指定して検索指示することによって、検索指示されたテキストデータが検索制御装置１０による制御の下に、同期録音装置７の録音内容から検索され、テキストデータ表示処理装置５からの出力に代わって、検索されたテキストデータがディスプレイ装置６に表示され、この表示結果から検索テキストデータの確認を行い、検索されたテキストデータと同一録音トラックに録音されている復号処理された音楽データを読み出して、音楽データ復号化装置からの出力データに代わって、音声再生処理されることになる。
【００１６】
次に、同期録音装置７への録音について図２のフローチャートに基づいて説明する。
【００１７】
録音開始が指示されると、新録音トラックの始端から音楽データの録音が開始され（ステップＳ１）、続いてテキストデータを受信したか否かがチェックされる（ステップＳ２）。ステップＳ２のチェックにおいて、テキストデータを受信していないと判別されたときには録音が終了させられる。
【００１８】
ステップＳ２のチェックにおいて、テキストデータを受信していると判別されたときにはテキストデータが前回のチェック時におけるテキストデータから変更されているか否かがチェックされる（ステップＳ３）。
【００１９】
ステップＳ３のチェックにおいて、前回のチェック時におけるテキストデータから変更されていないと判別されたときは、ステップＳ３に続き録音トラックの終了部分に達したか否かがチェックされ（ステップＳ４）、音楽データによる録音が録音トラックの終了部分に達するまで待って、音楽データによる録音が録音トラック終了部分に達したと判別されたときは録音された音楽データに対応するテキストデータが該録音トラックの終了部分に引き続いて録音保存されて（ステップＳ５）、録音指示装置９によって録音継続が指示されているか否かがチェックされる（ステップＳ６）。ステップＳ６において継続指示がなされていると判別されたときはステップＳ１から繰り返して実行される。
【００２０】
したがって、ステップＳ１〜ステップＳ６〜ステップＳ１が繰り返されるときは、同一のテキストデータに対する音声データが複数の録音トラックに順次録音され、この録音において録音トラック終了部分に達するごとに、該録音トラックの終了部分に該音楽データに対応するテキストデータが録音（記録）されていくことになる。
【００２１】
ステップＳ３のチェックにおいてテキストデータが前回のチェック時におけるテキストデータから変更されていると判別されたときは、音楽データに対応するテキストデータが変更された場合であって、例えば異なるアーティストによる音楽の音楽データを受信したような場合であり、ステップＳ３に続き直前における録音トラックの終了部分までへの進行を待って（ステップＳ７）、該録音トラックの終了部分に直前回のテキストデータの録音（記録）が行われる（ステップＳ８）。ここで、ステップＳ７において録音される音楽データはステップＳ３において直前回のテキストデータに対する音楽データであって、その音楽の終了後も同一録音トラックを進行させ終了部分に直前回のテキストデータがテキストデータとして記録されることになる。
【００２２】
ステップＳ８の実行に続いて録音継続が指示されているか否かがチェックされる（ステップＳ６）。ステップＳ６において継続指示がなされていると判別されたときはステップＳ１から繰り返して実行される。このように、ステップＳ１からステップＳ３、続いてステップＳ７、ステップＳ８、ステップＳ６、ついでステップＳ１のステップが順次実行されるときには、ステップＳ１で新しい録音トラックに録音される音楽データはその前の録音トラックに録音されている音楽データによる音楽と異なる音楽であり、引き続くステップＳ２〜ステップＳ６、ステップＳ１の実行により次に受信した異なる音楽に対する音楽データと該音楽データに対応するテキストデータとが録音トラックに録音されていくことになる。
【００２３】
上記のように、同期録音装置７の録音トラックに音楽データを記録し、該録音トラックの所定位置、例えば終了部分に該音楽データに対応するテキストデータを引き続いて録音されるために、音楽データと該音楽データに対するテキストデータとが実質的に同期して録音されることになる。
【００２４】
また、上記のように録音された同期録音装置７から所望の音楽データを読み出すときは、検索指示装置１０によりテキストデータを指定することによって検索指示し、検索指示されたテキストデータが検索制御装置１０による制御の下に、同期録音装置７の録音内容から検索され、検索されたテキストデータがディスプレイ装置６に表示され、この表示結果から検索テキストデータの確認が行われ、検索されたテキストデータと同一録音トラックに録音されている復号処理された音楽データが読み出されて、音声再生処理されることになる。
【００２５】
ここで、音楽データに対応するテキストデータの種類が複数個ある場合、複数個のデータ中の一つを選択するようにしてもよく、複数のテキストデータを連結して一つのテキストデータとして記録するようにしてもよい。また、記録トラックごとに音楽データと該音楽データに対応するテキストデータとを対として記録する場合を例示したが、一つの音楽が終了するときにおける音楽データの記録トラックに該音楽データに対応するテキストデータを記録するようにしてもよい。このようにしたときは、テキストデータを検索して該検索したテキストデータの直前におけるテキストデータに続いて、次の記録トラックから録音されている音楽データが所望の音楽データであるとしてもよい。
【００２６】
さらにまた、異なるテキストデータを受信するごとに記録トラックを区切るようにしてもよい。また、テキストデータを指定しておいて、指定されたテキストデータと異なるテキストデータを受信しない限り、記録トラックを区切らないようにすることもできる。
【００２７】
なお、本発明にかかるテキストデータ同期録音を選択しないときには通常の録音が行われる。
【産業上の利用可能性】
【００２８】
本発明にかかるテキストデータ同期録音は、ＩＢＯＣデジタルラジオ放送受信およびＤＡＢ放送受信に対しても適用することができる。
【図面の簡単な説明】
【００２９】
【図１】本発明の実施の一形態にかかるテキストデータ同期録音装置が適用される放送受信機の構成を示すブロック図である。
【図２】本発明の実施の一形態にかかるテキストデータ同期録音装置の同期録音処理を説明するフローチャートである。
【符号の説明】
【００３０】
１  復号装置
２  データ記憶装置
３  音楽データ復号化装置
４  音声再生装置
５  テキストデータ表示処理装置
６  ディスプレイ装置
７  同期録音装置
８  録音制御装置
９  録音指示装置
１０  検索制御装置
１１  検索指示装置
【図１】
2005071520.tif 000003
【図２】
2005071520.tif 000004